(57)【要約】【課題】確実にヒール部材を締着することのできるねじ締め込み装置を提供すること。【解決手段】ドライバーを回転させつつ上下動可能に支持するドライバー支持部と、前記ドライバーに上下動可能に設けられ、筒状の上部とその上部から下方に複数棒状に分岐し上部より径が大きいチャッキング部と下降位置でねじ等支持部のチャッキング部下端開口部を縮径させ、上昇位置で通常の拡径した状態にする作用部とから成り、そのチャッキング部の下端開口部は縮径時にドライバー先端でねじまたはドリル刃の頭部を把持して回動自在に支持するねじ等支持部と、前記作用部の下降移動を所定位置で停止する停止部材と、靴のヒール部材を保持するとともにドライバー下方の所定位置にセッティングするセット治具とを備え、前記ねじ等支持部にねじを支持してハイヒールの踵部にねじ込みヒール部材を締着するので、確実にヒール部材を締着することができる。【選択図】図３
2010179432.tif 000002
【特許請求の範囲】
【請求項１】
ねじをドライバーで締め込むねじ締め込み装置であって、前記ドライバーを回転させつつ上下動可能に支持するドライバー支持部と、前記ドライバーの軸外周にその軸線方向に沿って上下動可能に設けられ、筒状の上部とその上部から下方に複数棒状に分岐し上部より径が大きいチャッキング部と前記ドライバーの軸外周にその軸に沿って上下動可能に設けられ、下降位置でねじ等支持部のチャッキング部下端開口部を縮径させ、上昇位置で通常の拡径した状態にする作用部とから成り、そのチャッキング部の下端開口部は縮径時にドライバー先端でねじまたはドリル刃の頭部を把持して回動自在に支持するねじ等支持部と、前記作用部の下降移動を所定位置で停止する停止部材と、靴のヒール部材を保持するとともにドライバー下方の所定位置にセッティングするセット治具とを備え、前記ねじ等支持部にねじを支持してハイヒールの踵部にねじ込みヒール部材を締着することを特徴とするねじ締め込み装置。
【請求項２】
前記チャッキング部は、半径方向に弾性変形可能な複数の腕片から成り、前記腕片は、先端内周が夫々仮想円上に配設されるとともに、ねじの頭部を把持するための把持凹溝を備えたことを特徴とする請求項１に記載のねじ締め込み装置。
【請求項３】
前記チャッキング部は、前記ドライバーに移動可能に挿通されるとともに、第１のスプリングによって前記ドライバーに対して上昇する方向に付勢されたことを特徴とする請求項１または２に記載のねじ締め込み装置。
【請求項４】
前記作用部は、第２のスプリングによって前記ドライバーに対して上昇する方向に付勢されるとともに、前記第２のスプリングに抗して下降した際、チャッキング部下端開口部を縮径させ、その把持凹溝とドライバーの先端でねじまたはドリル刃の頭部を把持することを特徴とする請求項１〜３の何れか１に記載のねじ締め込み装置。
【発明の詳細な説明】
【技術分野】
【０００１】
本発明は、ねじをドライバーで締め込む装置であって、例えば靴のヒール部材と本底部材とをねじを使用して締着するねじ締め込み装置に関するものである。
【背景技術】
【０００２】
婦人用のハイヒールを製造する場合、ヒール部材と本底部材との間をその踵部分で接着固定する必要があるが、その踵部分は傾斜面となっている。したがって、従来はその傾斜面に直角になるようにねじを当てて、手作業によってドライバーで締め付けていた。
【０００３】
しかし、上記のように、踵部分の傾斜面に対して直角にねじを締め付けていると、ねじがヒール部材に対して斜めに入るため、ねじの長さを十分に確保することができず、短いねじを使用するために、締着力も不十分になっていた。このため、ヒール部材と本底部材とが剥がれてしまう一因ともなっていた。
【０００４】
また、手作業で行うため、手間がかかり製造コストも高く付いていた。さらに、マグネットドライバー等でねじを保持している場合は、保持力が非常に弱く、ねじ込み動作に入った際に、ねじが倒れてしまい、作業に時間も要していた。
【０００５】
そこで、これらの不便を解決するため、特許文献１に示すようにドライバーを回転させつつ上下動可能に支持するドライバー支持部とこのドライバーの軸外周にその軸に沿って上下動可能に設けられ、筒状の上部とその上部から下方に複数棒状に分岐し上部より径が大きいチャッキング部とを有し、そのチャッキング部の下端開口部は縮径時にドライバー先端のねじの頭部を把持してねじを回動自在に支持するねじ支持部とドライバーの軸外周にその軸に沿って上下動可能に設けられ、下降位置でねじ支持部のチャッキング部下端開口部を縮径させ、上昇位置で通常の拡径した状態にする作用部とを備えたねじ締め込み装置が提案されている。
【先行技術文献】
【特許文献】
【０００６】
【特許文献１】実用新案登録第３１１３２２３号公報
【発明の概要】
【発明が解決しようとする課題】
【０００７】
特許文献１に記載されたようなねじ締め込み装置においては、ねじ支持部のチャッキング部でねじを固定することができるので、手作業で行うよりも、手間が削減でき作業の効率化を実現できるものの、ねじをねじ支持部に安定して装着することができず、回転させた際にねじ先がふらつき、作業が安定しないと云う欠点が存在した。また、図２に示すように、本底部材の内層に薄い鉄板等を備えたハイヒールの場合、ねじ先が安定しないとヒール部材に内装したパイプ部に確実に挿通することができず、ヒール部材の確実な締着が困難であった。更に、図２から明らかなように、ヒール部が高いと靴の踵内周端面がねじ支持部や作用部に接触して傷つける虞れが存在した。
【０００８】
この発明は、上記に鑑み提案されたもので、ハイヒール、特にピンヒールと称される踵の高いヒール部材と本底部材との間を十分な強度で締着して剥がれを確実に防止するとともに、ねじを安定して固着し、ねじ締め作業を簡単に短時間に行って製造コストも低減することができるねじ締め込み装置を提供することを目的とするものである。
【課題を解決するための手段】
【０００９】
上記目的を達成する為に、本発明のねじ締め込み装置は、ねじをドライバーで締め込むものであって、前記ドライバーを回転させつつ上下動可能に支持するドライバー支持部と、前記ドライバーの軸外周にその軸線方向に沿って上下動可能に設けられ、筒状の上部とその上部から下方に複数棒状に分岐し上部より径が大きいチャッキング部と前記ドライバーの軸外周にその軸に沿って上下動可能に設けられ、下降位置でねじ等支持部のチャッキング部下端開口部を縮径させ、上昇位置で通常の拡径した状態にする作用部とから成り、そのチャッキング部の下端開口部は縮径時にドライバー先端でねじまたはドリル刃の頭部を把持して回動自在に支持するねじ等支持部と、前記作用部の下降移動を所定位置で停止する停止部材と、靴のヒール部材を保持するとともにドライバー下方の所定位置にセッティングするセット治具とを備え、前記ねじ等支持部にねじを支持してハイヒールの踵部にねじ込みヒール部材を締着することを特徴とする。
【発明の効果】
【００１０】
この発明は上記した構成からなるので、以下に説明するような効果を奏することができる。
【００１１】
本発明では、ドライバーを回転させつつ上下動可能に支持するドライバー支持部と、前記ドライバーに上下動可能に設けられ、筒状の上部とその上部から下方に複数棒状に分岐し上部より径が大きいチャッキング部と下降位置でねじ等支持部のチャッキング部下端開口部を縮径させ、上昇位置で通常の拡径した状態にする作用部とから成り、そのチャッキング部の下端開口部は縮径時にドライバー先端でねじ又はドリル刃の頭部を把持して回動自在に支持するねじ等支持部と、前記作用部の下降移動を所定位置で停止する停止部材と、靴のヒール部材を保持するとともにドライバー下方の所定位置にセッティングするセット治具とを備え、前記ねじ等支持部にねじを支持してハイヒールの踵部にねじ込みヒール部材を締着するので、ねじの先端がぶれることなく、確実にヒール部材を締着することができる。
【００１２】
また、ヒール部材の締着作業を迅速に実行でき、製造コストの低減を達成できる。更に、ヒール部の高い靴であっても、踵内周端面にねじ等支持部や作用部が接触して傷つける虞れがない。また、本底部材の内層に薄い鉄板等を備えたハイヒールの場合であれば、ドリル刃で案内孔を穿つことができるので、ねじ先が安定してヒール部材に内装したパイプ部に確実に挿通することができる。
【図面の簡単な説明】
【００１３】
【図１】図１は、本発明に係るねじ締め込み装置の一例を示す全体構成図である。
【図２】図２は、同ねじ締め込み装置によってねじ締め加工した婦人用ハイヒールを示す一部切欠き図である。
【図３】図３は、同ねじ締め込み装置の要部構成を示す分解斜視図である。
【図４】図４は、同ねじ締め込み装置にセンタードリルを装着する場合を示す説明図である。
【図５】図５は、同ねじ締め込み装置にねじを装着する様子を示す説明図である。
【図６】図６は、同ねじ締め込み装置による作業手順を示す説明図である。
【発明を実施するための形態】
【００１４】
本発明のねじ締め込み装置において、チャッキング部下端開口部を縮径させ、そこに形成された把持凹溝とドライバーの先端でねじまたはドリル刃の頭部を把持するので、ドリル刃で案内孔を穿った後にねじを確実に締め込むことができる。また、ねじ先をふらつかせる事無く安定して保持できるのでヒール部材に内装したパイプ部に確実に挿通することができる。
【実施例１】
【００１５】
以下、一実施の形態を示す図面に基づいて本発明を詳細に説明する。図１は、本発明に係るねじ締め込み装置の一例を示す全体構成図、図２は本願発明のねじ締め込み装置によってねじ締め加工した婦人用ハイヒールを示す一部切欠き図、図３は同ねじ締め込み装置の要部構成を示す分解斜視図、図４は本発明のねじ締め込み装置にセンタードリルを装着する場合を示す説明図である。本発明のねじ締め込み装置１は、例えばセット治具２にセットされた婦人用ハイヒール９のヒール部材９１と本底部材９２とを締着する際に使用する装置である。
【００１６】
セット治具２には、上面にヒール部材収納凹部２１およびヒール収納孔２２が形成されており、ここにヒール部材９１が収納されて固定され、そのヒール部材９１上に本底部材９２が重ねて載置される。また、ねじ締め込み装置１は、ドライバー７下方の所定位置にセッティングされたセット治具２の本底部材９２に対して垂直にねじ８を締め込む。
【００１７】
このねじ締め込み装置１は、ドライバー支持部３とねじ等支持部４と作用部５とを備えている。
【００１８】
ドライバー支持部３は、ボール盤等に通常設けられるチャッキング機構及びハンドルによってドライバー７を回転させつつ上下動可能に支持している。なお、ここでドライバー７はチャッキング機構に把持されるように、軸部のみの棒状の形状を有している。
【００１９】
ねじ等支持部４は、ドライバー７の軸外周にその軸線方向に沿って上下動可能に設けられ、筒状の上部４１とその上部４１から下方に複数棒状に分岐し上部より径が大きいチャッキング部４２と、前記ドライバー７の軸外周にその軸に沿って上下動可能に設けられ、下降位置でねじ等支持部４のチャッキング部４２下端開口部を縮径させ、上昇位置で通常の拡径した状態にする作用部５とから成り、そのチャッキング部４２の下端開口部は縮径時にドライバー先端でねじまたはドリル刃の頭部を把持して回動自在に支持する。
【００２０】
また、ねじ等支持部４は、中央に孔４１ａが穿設された円盤状の上部４１と、その上部４１から下方に複数棒状に分岐して設けられた腕片４２ａ，４２ａ…を備えたチャッキング部４２とを有している。チャッキング部４２の外周の径は、上部４１の外周の径より大きく、上部４１とチャッキング部４２との間は、径が漸増して緩やかな傾斜面４３となっている。更に、腕片４２ａは、半径方向に弾性変形可能であり、複数の腕片４２ａは先端内周が夫々仮想円上に配設されるとともに、ねじの頭部を把持するための把持凹溝４８を備えている。
【００２１】
ドライバー７の先端（下端）寄りに、リング状の溝７１が形成され、この溝７１にストッパ４４が嵌入され、ドライバー７の軸に挿入されたチャッキング部４２を第１のスプリング４６がドライバー軸に対して上昇する方向へ付勢する。
【００２２】
また、ドライバー７の中央より少し下方に、リング状の溝７２が形成され、この溝７２にストッパ５５が嵌入され、ドライバー７の軸に緩入された第２のスプリング５７の前端をストッパ５５が規制している。また、ストッパ５５は、チャッキング部４２の上端（後端）を規制している。したがって、チャッキング部４２は、第１のスプリング４６によってストッパ５５の位置まで上昇する。更に、ドライバー７の中央より少し上方に、リング状の溝７３が形成され、この溝７３にストッパ５６が嵌入され、ドライバー７の軸に挿通された作用部５の後端を規制している。また、ストッパ５５と作用部５の間に第２のスプリング５７が配設されており、作用部５をドライバー７に対して上昇する方向へ付勢する。
【００２３】
作用部５は、全体として略円筒状で、上端側のフランジ部５１とその下部の、フランジ部５１より外径が細い外筒部５２とを有している。フランジ部５１にはその中央に孔５１ａが穿設され、作用部５はその孔５１ａを通してドライバー７の軸に挿入され、外筒部５２の下端が、ねじ支持部４の傾斜面４３に当接するようになっている。また、セット治具２には、作用部５のフランジ部５１に当接する規制片２３が形成されている。
【００２４】
また、ドライバー７の中央より少し下方に、リング状の溝７２が形成され、この溝７２にストッパ５５が嵌入され、ドライバー７の軸に緩入された第２のスプリング５７がストッパ５５に係止している。作用部５は、全体として略円筒状で、上端側のフランジ部５１とその下部の、フランジ部５１より外径が細い外筒部５２とを有している。フランジ部５１にはその中央に孔５１ａが穿設され、作用部５はその孔５１ａを通してドライバー７の軸に挿入され、外筒部５２の下端が、ねじ等支持部４の傾斜面４３に当接するようになっている。
【００２５】
以上のように構成されたねじ締め込み装置を使用して婦人用ハイヒール９のヒール部材９１と本底部材９２とを締着する工程を図４〜図６に従って説明する。先ず、図４に示すように、チャッキング部４２の把持凹溝４８にドリル刃（センタードリル）８１の頭部８２を把持固定する。具体的には、ドライバー７の先端にドリル刃８１の頭部８２を押し当てた後、作用部５を押し下げると、外筒部５２の内周下端が、ねじ等支持部４の傾斜面４３に乗り上げて、腕片４２ａが縮径されて把持凹溝４８がドリル刃８１の頭部８２を把持する。この状態で本底部材９２に案内孔８３を穿設する。
【００２６】
次に、図５（ａ）（ｂ）、図６（ａ）に示すようにねじ８をドライバー７の先端７ａに押し当てた状態で、作用部５を押し下げる。すると、外筒部５２の内周下端が、ねじ等支持部４の傾斜面４３に乗り上げて、外筒部５２とチャッキング部４２が嵌合して、腕片４２ａが縮径され、把持凹溝４８及びドライバー７の先端７ａがねじ８の頭部８ａを把持する。
この状態で第１のスプリング４６はねじ等支持部４の上部４１の下面で圧縮され、また第２のスプリング５７は作用部５の外筒部５２の上端面で圧縮される。
【００２７】
その後、ドライバー支持部３によるドライバー７の回転および下降によって、ねじ８が本底部材９２に螺入され、続いてヒール部材９１に螺入していく（図６（ｂ）、（ｃ））。この際、本底部材９２には、ドリル刃によって案内孔８３を穿設されれいるので、本底部材９２の内層に薄い鉄板９３等を備えたハイヒールであっても確実にねじ８を螺合できる。また、ヒール部材９１には、予めスリーブ９１ａが嵌入されており、ねじ８を受け止めて螺着が一層確実なものとなるようにしている。
【００２８】
続いて、作用部５のフランジ部５１の下面５１ｂが、セット治具２の所定位置に設けられている規制片２３に当たって作用部５の下動が停止すると、ドライバー７およびねじ等支持部４のみが下降するので、作用部５の外筒部５２の下端と傾斜面４３との係合が解除される。
それに応じてチャッキング部４２を内側に押しつける力が緩和され腕片４２ａが弾性力で開くようになる。その結果、チャッキング部４２によるねじ８の支持が解除され、ねじ８はドライバー７のみによって自由に螺入される状態になる（図６（ｄ））。また、第２のスプリング５７は、その伸長力により作用部５をストッパ５６の位置まで上方に押し上げる。さらに第１のスプリング４６は、その伸長力によりチャッキング部４２を上方にストッパ５５の位置まで押し上げ、作用部５はその押し上げ力も加えられて上方に更に押し上げられる（図６（ｄ））。
【００２９】
その後、さらにドライバー７によってねじ８がヒール部材９１のスリーブ９１ａに螺入されていき、ねじ８の頭部８ａが本底部材９２の内部に埋め込まれた状態でねじ締めが完了する（図６（ｄ））。この時、チャッキング部４２は、ドライバー７の先端周囲から上に移動しているので、ねじ８の頭部８ａをねじ込む際の支障になることがない。なお、図６（ｄ）に示すように、作用部５及びチャッキング部４２が上昇したときのねじ等支持部４の下端とドライバー７下端との間の距離をＧとし、ねじ８が本底部材９２に埋め込まれる距離（深さ）をＸとするとき、Ｇ＞Ｘとなるように設計することにより、ねじ８の埋め込み深さを十分に確保することができる。
【００３０】
以上のべたように、この発明のねじ締め込み装置１では、作用部５が下降位置にあるときねじ等支持部４の把持凹溝４８及びドライバー７の先端がねじ８がぐらつく事無く確実に保持できるので、ねじの先端が揺動することなくねじ８の締め込み作業を行うことができる。また、ねじ締めがある程度進むと、作用部５が上昇してねじ８の頭部８ａに対する支持が解除されるので、障害物がなくなり、ねじ８の頭部８ａが埋め込まれるまで締め込みを十分に行うことができる。
【００３１】
また、チャッキング部４２にドリル刃８１を取り付けることができるので、本底部材９２に予め案内孔８３を穿設することができ、固い本底部材であっても、確実にねじ８を螺合することができる。
更に、本発明では、作用部５の径を細く形成することができるので、ヒール部の高い靴であっても、踵内周端面にねじ等支持部や作用部が接触して傷つける虞れがない。
【００３２】
なお、本底部材の内層に鉄板等の固い部材を含まない場合は、直接ねじを締め込むことができる。さらに、ねじ締め作業を自動的に行えるので作業が簡単に短時間で行えるようになり、製造コストも低減することができる。
【００３３】
また、本発明は上述の実施例に限定されることなく、特許請求の範囲の記載に基づいて種々の設計変更が可能である。
【符号の説明】
【００３４】
１      ねじ締め込み装置
２      セット治具
２１      ヒール部材収納凹部
２２      ヒール収納孔
２３      規制片
３      ドライバー支持部
４      ねじ等支持部
４１      上部
４１ａ    孔
４２      チャッキング部
４２ａ    腕片
４３      傾斜面
４４      ストッパ
４６      第１のスプリング
５      作用部
５１      フランジ部
５１ａ    孔
５１ｂ    下面
５２      外筒部
５５      ストッパ
５７      第２のスプリング
７      ドライバー
７１〜７３  溝
８      ねじ
８ａ      頭部
８１      ドリル刃（センタードリル）
８２      頭部
８３      案内孔
９      婦人用ハイヒール
９１      ヒール部材
９１ａ    スリーブ
９２      本底部材
【図１】
2010179432.tif 000003
【図２】
2010179432.tif 000004
【図３】
2010179432.tif 000005
【図４】
2010179432.tif 000006
【図５】
2010179432.tif 000007
【図６】
2010179432.tif 000008